(57)【要約】  Ｆ−１８で放射能標識されたペプチドが、ヒドロキシルアミン基、チオセミカルバジド基、ヒドラジン基、または遊離アミン基を含むペプチドと４−［１８Ｆ］フルオロベンズアルデヒドとを反応させることによって調製される。Ｆ−１８放射能標識ペプチドの特定の非限定的な例が、本明細書に記載されている。標識ペプチドは、例えば臨床ポジトロン放出断層撮影法において有用である。
2009508090.tif 000002
【特許請求の範囲】
【請求項１】
ペプチドの放射能標識方法であって、前記ペプチドと［１８Ｆ］フルオロベンズアルデヒドとを、オキシム、チオセミカルバゾン、もしくはヒドラゾンの形成を促進する条件下で接触させる工程であって、前記ペプチドが、少なくとも１つのＨＳＧ基、ＤＴＰＡ基、金属錯体化ＤＴＰＡ基、ＤＯＴＡ基、もしくは金属錯体化ＤＯＴＡ基、並びに、ヒドロキシルアミン、チオセミカルバジド、およびヒドラジンからなる群から選択される少なくとも１つの基を含む工程を含む方法。
【請求項２】
ペプチドの放射能標識方法であって、遊離アミン基を含むペプチドと［１８Ｆ］フルオロベンズアルデヒドとを、還元剤の存在下で、前記ペプチドと前記アルデヒドとの間のシッフ塩基の形成、および前記還元剤による対応アミンへの前記シッフ塩基の還元を促進する条件下で接触させる工程であって、前記ペプチドが、少なくとも１つのＨＳＧ基、ＤＴＰＡ基、金属錯体化ＤＴＰＡ基、ＤＯＴＡ基、もしくは金属錯体化ＤＯＴＡ基を含む工程を含む方法。
【請求項３】
タンパク質の放射能標識方法であって、タンパク質と４−［１８Ｆ］フルオロベンズアルデヒド亜硫酸水素塩付加錯体とを接触させる工程と、還元剤の存在下に還元的アミノ化によってコンジュゲートを形成する工程を含むか、または予めヒドロキシルアミン、チオセミカルバジド、もしくはヒドラジンで修飾された前記タンパク質と、４−［１８Ｆ］フルオロベンズアルデヒド亜硫酸水素塩付加錯体とを、オキシム、チオセミカルバゾン、もしくはヒドラゾンの形成を促進する条件下で接触させる工程を含む方法。
【請求項４】
前記還元剤が、ナトリウムシアノボロハイドライドである、請求項３に記載の方法。
【請求項５】
前記［１８Ｆ］フルオロベンズアルデヒドが、［１８Ｆ］フルオロベンズアルデヒドと亜硫酸水素ナトリウムとの付加錯体の酸触媒分解によってインサイチュで形成される、請求項１に記載の方法。
【請求項６】
前記［１８Ｆ］フルオロベンズアルデヒドが、［１８Ｆ］フルオロベンズアルデヒドと亜硫酸水素ナトリウムとの付加錯体の酸触媒分解によってインサイチュで形成される、請求項２に記載の方法。
【請求項７】
前記ペプチドが少なくとも１つのＨＳＧ基を含み、オキシム、チオセミカルバゾン、もしくヒドラゾンが形成される、請求項１に記載の方法。
【請求項８】
前記ペプチドが少なくとも１つのＤＴＰＡ基を含み、オキシム、チオセミカルバゾン、もしくはヒドラゾンが形成される、請求項１に記載の方法。
【請求項９】
前記ペプチドが少なくとも１つのＤＯＴＡ基を含み、オキシム、チオセミカルバゾン、もしくはヒドラゾンが形成される、請求項１に記載の方法。
【請求項１０】
前記ペプチドが２つのＨＳＧ基を含み、オキシム、チオセミカルバゾン、もしくはヒドラゾンが形成される、請求項１に記載の方法。
【請求項１１】
前記ペプチドが２つのＤＴＰＡ基を含み、オキシム、チオセミカルバゾン、もしくはヒドラゾンが形成される、請求項１に記載の方法。
【請求項１２】
前記ペプチドが、２つのＨＳＧ基、２つのＤＴＰＡ基、または、１つのＨＳＧ基および１つのＤＴＰＡ基を含む、請求項２に記載の方法。
【請求項１３】
前記ペプチドが、少なくとも１つの金属錯体化ＤＴＰＡ基または金属錯体化ＤＯＴＡ基を含み、前記金属が、第ＩＩＡ族金属、第ＩＩＩＡ族金属、Ｙ、Ｌｕ、Ｔｃ、およびＲｅからなる群から選択される、請求項１に記載の方法。
【請求項１４】
前記ペプチドが、少なくとも１つの金属錯体化ＤＴＰＡ基または金属錯体化ＤＯＴＡ基を含み、前記金属が、第ＩＩＡ族金属、第ＩＩＩＡ族金属、Ｙ、Ｌｕ、Ｔｃ、およびＲｅからなる群から選択される、請求項２に記載の方法。
【請求項１５】
前記金属がインジウムである、請求項１３に記載の方法。
【請求項１６】
前記金属がインジウムである、請求項１４に記載の方法。
【請求項１７】
前記オキシム、チオセミカルバゾン、もしくはヒドラゾンを還元する工程をさらに含む、請求項１に記載の方法。
【請求項１８】
配列４−１８Ｆ−Ｃ６Ｈ４ＣＨＧ１−ＮＧ２−Ｒ−Ａ−Ｌｙｓ（Ｘ）−Ｂ−Ｌｙｓ（Ｘ）
（式中、
Ｒは、−Ｏ−ＣＨ２−ＣＯ、−ＮＨ−ＣＳ−ＮＨ−Ｃ６Ｈ４−ＣＯ−、および−ＮＨ−Ｃ６Ｈ４−ＣＯ−からなる群から選択され、
Ａは、（Ｔｙｒ）ｎ（式中、ｎ＝０または１である）であり、
Ｘは、ＨＳＧ、ＤＴＰＡ、金属錯体化ＤＴＰＡ、ＤＯＴＡ、および金属錯体化ＤＯＴＡからなる群から独立して選択され、
Ｂは、Ｇｌｕ、Ａｌａ、およびＴｙｒからなる群から選択され、
Ｇ１＝Ｇ２＝Ｈであるか、またはＧ１およびＧ２は一緒になって、Ｇ１およびＧ２が結合されている炭素原子と窒素原子との間に形成された二重結合を表わし、かつＣ末端基が任意選択的にＣＯ−ＮＨ２である）
を有するペプチド。
【請求項１９】
Ｒが、−Ｏ−ＣＨ２−ＣＯであり、ｎ＝１であり、ＸがＨＳＧであり、ＢがＧｌｕである、請求項１８に記載のペプチド。
【請求項２０】
Ｒが、−ＮＨ−ＣＳ−ＮＨ−Ｃ６Ｈ４−ＣＯ−であり、ｎ＝０であり、ＸがＨＳＧであり、ＢがＧｌｕである、請求項１８に記載のペプチド。
【請求項２１】
Ｒが、−ＮＨ−Ｃ６Ｈ４−ＣＯ−であり、ｎ＝０であり、ＸがＨＳＧであり、ＢがＡｌａである、請求項１８に記載のペプチド。
【請求項２２】
Ｒが、−Ｏ−ＣＨ２−ＣＯであり、ｎ＝０であり、ＸがＤＴＰＡであり、ＢがＴｙｒである、請求項１８に記載のペプチド。
【請求項２３】
Ｒが、−ＮＨ−ＣＳ−ＮＨ−Ｃ６Ｈ４−ＣＯ−であり、ｎ＝０であり、ＸがＤＴＰＡであり、ＢがＴｙｒである、請求項１８に記載のペプチド。
【請求項２４】
Ｒが、−ＮＨ−Ｃ６Ｈ４−ＣＯ−であり、ｎ＝０であり、ＸがＤＴＰＡであり、ＢがＴｙｒである、請求項１８に記載のペプチド。
【請求項２５】
少なくとも１つの金属錯体化ＤＴＰＡ基または金属錯体化ＤＯＴＡ基を含み、前記金属が、第ＩＩＡ族金属、第ＩＩＩＡ族金属、Ｙ、Ｌｕ、Ｔｃ、およびＲｅからなる群から選択される、請求項１８に記載のペプチド。
【請求項２６】
前記金属がインジウムである、請求項２５に記載のペプチド。
【請求項２７】
求核性窒素原子を含む部分を含有する分子の放射能標識方法であって、前記ペプチドと４−［１８Ｆ］フルオロベンズアルデヒドの亜硫酸水素塩付加錯体とを、前記求核性窒素原子と前記アルデヒドとの間の二重結合の形成を促進する条件下に接触させる工程、および任意選択的に前記二重結合を還元剤で還元する工程を含む方法。
【請求項２８】
求核性窒素原子を含む前記部分が、第一級アミン、第二級アミン、ヒドロキシルアミン、チオセミカルバジド、およびヒドラジンからなる群から選択される、請求項２７に記載の方法。
【請求項２９】
病変組織または正常組織の画像化方法であって、
ａ）請求項１６に記載の１８Ｆ−標識ペプチドを被験者へ投与する工程と、
ｂ）ポジトロン放出断層撮影法の画像化によって、局在化１８Ｆ−標識ペプチドの画像を得る工程と
を含む方法。
【請求項３０】
前記ペプチドが、抗体または抗体断片にコンジュゲートされる１８Ｆ−標識アルデヒド亜硫酸水素塩付加錯体であり、前記抗体または断片が、病変組織または正常組織に結合する抗原結合部位を有する、請求項２９に記載の方法。
【請求項３１】
前記被験者に二重特異性抗体またはその断片を投与する工程をさらに含み、前記抗体または断片が、病変組織または正常組織に結合する少なくとも１つの抗原結合部位と、１８Ｆ−標識ペプチドに結合する少なくとも１つの抗原結合部位とを有する、請求項２９に記載の方法。
【請求項３２】
前記病変組織が、癌または自己免疫病と関連している、請求項３１に記載の方法。
【発明の詳細な説明】
【技術分野】
【０００１】
本発明の様々な実施形態は、１８Ｆでペプチドを放射能標識するための方法および組成物に関する。特別な実施形態において、１８Ｆ−標識ペプチドは、様々な診断的適用、例えばポジトロン放出断層撮影法（ＰＥＴ）のための用途を有する。さらにより特別な実施形態は、ペプチドの１８Ｆ標識のための［１８Ｆ］フルオロベンズアルデヒドの組成物およびその使用方法に関する。
【背景技術】
【０００２】
ポジトロン放出断層撮影法（ＰＥＴ）は、ヒトの病気の可視化のための高解像度の非侵襲性画像化技術である。ＰＥＴにおいて、ポジトロン消滅崩壊の間に生成された５１１ｋｅＶのγ光子が検出される。臨床設定において、フッ素−１８（Ｆ−１８）は、最も広く用いられているポジトロン放出核種の１つである。Ｆ−１８は、１１０分の半減期（ｔ１／２）を有し、６３５ｋｅＶのエネルギーにおいてβ＋粒子を放出する。これは９７％存在率（ａｂｕｎｄａｎｔ）である。
【０００３】
Ｆ−１８の短い半減期は、抗体、抗体断片、組換え抗体構築物などの、より長い寿命の特異的な標的ベクター、およびより長い寿命の受容体標的ペプチドでのその用途を制限または不可能にしてきた。これに加えて、複雑な化学反応が、このような有機標的ベクターに無機フッ素を結合するのに必要とされてきた。典型的な合成方法において、中間体が放射性フッ素化され、Ｆ−１８−標識中間体が、タンパク質のアミノ基へのカップリングのために精製される。例えばＬａｎｇ  ｅｔ  ａｌ．，Ａｐｐｌ．Ｒａｄｉａｔ．Ｉｓｏｌ．，４５（１２）：１１５５−６３（１９９４）；Ｖａｉｄｙａｎａｔｈａｎ  ｅｔ  ａｌ．，Ｂｉｏｃｏｎｊ．Ｃｈｅｍ．，５：３５２−５６（１９９４）を参照されたい。
【０００４】
これらの方法は、実施するのが冗長で、専門的な本職の化学者の努力を必要とする。これらは、臨床設定における使用のためのキット配合物に適さない。中間体の多重精製が通常必要とされ、最終工程は、タンパク質のリジン残基への結合を伴い、通常、３０〜６０％収率を生じ、患者への投与に先立ち、さらなる精製工程を必要とする。これに加えて、これらの方法は、放射性金属にやや似た、腎臓に蓄積するフッ素化標的種を結果として生じる。
【発明の開示】
【発明が解決しようとする課題】
【０００５】
上で考察されたように、Ｆ−１８を用いてタンパク質ベースの標的ベクターを標識するために現在利用可能な方法は不適切である。したがって、Ｆ−１８放射性核種をタンパク質、抗体、抗体断片、および受容体標的ペプチドなどのペプチド含有標的ベクターに組み込み、日常的な臨床ポジトロン放出断層撮影法におけるこのような標的ベクターの使用を可能にするための単純で効率的な方法の必要性がある。
【課題を解決するための手段】
【０００６】
本発明は、Ｆ−１８放射性核種をペプチド配列中に組み込むための改良された方法および組成物を提供する。様々な態様において、これらの方法および組成物は、すでに公知の方法と比較して、Ｆ−１８の組込みの改良された効率、ペプチドを放射能標識した後の精製工程の必要性の減少、および／またはＦ−１８放射能標識の使用の簡潔さ、および容易さを提供し得る。
【０００７】
本発明の１つの実施形態によれば、少なくとも１つのＨＳＧ基、ＤＴＰＡ基、またはＤＯＴＡ基、およびヒドロキシルアミン、チオセミカルバジド、またはヒドラジンから選択される少なくとも１つの基を含むペプチド配列が、対応するオキシム、チオセミカルバゾン、もしくはヒドラゾンの形成を促進する条件下で４−［１８Ｆ］フルオロベンズアルデヒドを用いて処理される方法が提供される。
【０００８】
本発明の別の実施形態によれば、４−［１８Ｆ］フルオロベンズアルデヒドと亜硫酸水素ナトリウムとの付加錯体の酸触媒による分解によって、インサイチュで４−［１８Ｆ］フルオロベンズアルデヒドを作成する方法が提供される。
【０００９】
さらに他の実施形態は、配列４−１８Ｆ−Ｃ６Ｈ４ＣＨ＝ＮＲ−Ａ−Ｌｙｓ（Ｘ）−Ｂ−Ｌｙｓ（Ｘ）（式中、Ｒは、−Ｏ−ＣＨ２−ＣＯ、−ＮＨ−ＣＳ−ＮＨ−Ｃ６Ｈ４−ＣＯ−、および−ＮＨ−Ｃ６Ｈ４−ＣＯ−からなる群から選択され、Ａは、（Ｔｙｒ）ｎ（式中、ｎ＝０または１）であり、Ｘは、ＨＳＧ、ＤＴＰＡ、およびＤＯＴＡからなる群から独立して選択され、Ｂは、Ｇｌｕ、Ａｌａ、およびＴｙｒからなる群から選択される）を有するペプチドを提供する。
【発明を実施するための最良の形態】
【００１０】
本明細書において用いられているように、「１つ（ａまたはａｎ）」とは、１つの品目の１、または１より多くを意味し得る。
【００１１】
本明細書において用いられているように、「および（ａｎｄ）」および「または（ｏｒ）」という用語は、接続語または非接続語を意味するために用いることができる。すなわち、両方の用語は、他の記載がなければ、「および／または」と同等であると理解すべきである。
【００１２】
本明細書に記載されているような抗体とは、全長の（すなわち自然発生的な、または正常な免疫グロブリン遺伝子断片組換えプロセスによって形成された）免疫グロブリン分子（例えばＩｇＧ抗体）、または免疫グロブリン分子の免疫活性がある（すなわち特異的に結合する）部分または類似体、例えば抗体断片のことを言う。
【００１３】
抗体断片は、抗体の一部分、例えばＦ（ａｂ）２、Ｆ（ａｂ’）２、Ｆａｂ、Ｆｖ、ｓＦｖなどである。構造とは無関係に、抗体断片は、無傷の抗体によって認識されるのと同じ抗原と結合する。「抗体断片」という用語はまた、特異的抗原へ結合して錯体を形成することによって抗体のように作用する、あらゆる合成タンパク質または遺伝子組み換えによって作成されたタンパク質も含む。例えば抗体断片は、重鎖および軽鎖の可変領域からなる「Ｆｖ」断片などの可変領域からなる単離された断片、軽鎖可変領域および重鎖可変領域がペプチドリンカーによって連結されている組換え単鎖ポリペプチド分子（「ｓｃＦｖタンパク質」）、および超可変領域を模倣するアミノ酸残基からなる最小認識単位（ＣＤＲ）を含む。
【００１４】
本明細書において用いられているように、抗体融合タンパク質という用語は、同一もしくは異なる特異性を有する同一もしくは異なるｓｃＦｖ、または抗体断片の２以上が結合されている、組換え技術により作成された抗原結合分子のことを言う。融合タンパク質の価数は、融合タンパク質が単一の抗原またはエピトープに対し、いくつの結合アームまたは結合部位を有するか、すなわち一価、二価、三価、または多価であるかを示している。抗体融合タンパク質の多価は、これが抗原への結合において複数の相互作用を利用し得、そのため、抗原への親和力を増加し得ることを意味する。特異性とは、抗体融合タンパク質がいくつの抗原またはエピトープと結合することができるか、すなわち単一特異性、二重特異性、三重特異性、多重特異性を示している。これらの定義を用いると、自然抗体、例えばＩｇＧは、２つの結合アームを有するので二価であるが、１つのエピトープへ結合するので単一特異性である。単一特異性多価融合タンパク質は、１つのエピトープに対して１つより多くの結合部位を有するが、このような１つのエピトープにのみ結合し、例えば同じ抗原と反応性がある２つの結合部位を有するダイアボディー（ｄｉａｂｏｄｙ）がある。融合タンパク質は、単一の抗体成分、異なる抗体成分の多価または多重特異性の組み合わせ、または同じ抗体成分の複数のコピーを含み得る。融合タンパク質はさらに、抗体もしくは抗体断片、および治療薬を含んでもよい。このような融合タンパク質に適した治療薬の例は、免疫調節剤（「抗体−免疫調節剤融合タンパク質」）および毒素（「抗体−毒素融合タンパク質」）を含む。
【００１５】
［概要］
本発明は、１８Ｆ−標識アルデヒドを用いて、Ｆ−１８放射性核種をペプチド配列中に組み込むための単純かつ効率的な方法を提供する。開示された方法および組成物は、このようなペプチド配列を、日常的な臨床ポジトロン放出断層撮影法のために利用可能にする。
【００１６】
特許請求の範囲に記載された方法および組成物は、ヒドロキシルアミン、チオセミカルバジド、およびヒドラジンなどの基と迅速および選択的に反応し、それぞれ対応するオキシム、チオセミカルバゾン、およびヒドラゾンを形成するアルデヒドの特性を利用する。この反応は例えば、リジン残基の側鎖アミノ基などの他の求核性基の存在下に発生し得る。この１８Ｆ標識は、アルデヒド中に組み込まれ、したがってアルデヒドとペプチドとの間の共有結合の形成の際にペプチド中に組み込まれる。本発明はさらに、アルデヒドの亜硫酸水素塩付加錯体を形成し、この錯体をインサイチュで用いてオキシム、チオセミカルバゾン、もしくはヒドラゾンを形成することによって、揮発性であってもよい標識されたアルデヒドの便利な取扱い方法も提供する。
【００１７】
特別な実施形態において、用いられるアルデヒドは、４−フルオロベンズアルデヒドであり、これは、公知の方法により、標識されたフッ化物イオンを用いて、脱離基を置換することによってＦ−１８の形態で調製することができる。
【００１８】
これらの方法は、合成的に生成されたペプチドの標識に特に適し、これらは、標識されたアルデヒドと反応させるために用いることができる求核性ヒドロキシルアミン、チオセミカルバジド、もしくはヒドラジン部分を含有するように、合成の間に修飾することができる。これらの方法は、適切な求核性部分を提供し得る、対象となる任意のペプチド配列に用いることができる。典型的にはこの求核性部分は、このペプチドのＮ末端に付加されるが、当業者ならば、この求核剤はまた、アミノ酸側鎖またはペプチドＣ末端に結合することもできることが分かるだろう。
【００１９】
本発明の方法は、二重特異性抗体もしくは多重特異性抗体を用いる親和性増大系における使用のためのペプチドの標識に特に適しているが、これに限定されるわけではない。これらの方法において、抗体は、標的組織に対して第一特異性を有し、標的化可能な構築物に対して第二特異性を有する。例えば、参照することにより全体が本明細書の一部をなす米国特許出願公開第２００３０１９８５９５号を参照されたい。画像化の用途において、抗体は典型的には、まず被験者に投与され、次いで非結合抗体が消えるための一定期間が続く。次いで、検出可能に標識された標的化可能な構築物は投与され、抗体が結合する部位において隔離され、この錯体の検出を可能にする。あるいくつかの実施形態において、二重特異性もしくは多重特異性抗体に結合するための標的可能な構築物として機能する、１８Ｆ−標識ペプチドが調製され得る。当業者なら、他の投与方式が可能であることを承知するだろう。
【００２０】
本発明の特別な実施形態において、これらの方法は、ハプテン部分、例えばＨＳＧ（ヒスタミニル−スクシニル−グリシル−、米国特許出願公開第２００３０１９８５９５号を参照されたい）、またはキレート剤、例えばジエチレントリアミンペンタ酢酸（ＤＴＰＡ）、または１，４，７，１０−テトラアザシクロドデカンＮ，Ｎ’，Ｎ”，Ｎ’’’テトラ酢酸（ＤＯＴＡ）、またはこれらの金属錯体を有する標識ペプチドを調製するために用いることができる。ＤＴＰＡおよびＤＯＴＡ型キレート剤は、リガンドが硬い塩基のキレート官能基、例えばカルボキシレート基もしくはアミン基を含む場合、硬い酸のカチオン、特に第ＩＩａ族および第ＩＩＩａ族の金属カチオン、例えばＧａおよびＩｎをキレートするのに最も効果的である。他の適切な金属は、遷移金属、および内部遷移金属、例えばＹおよびＬｕを含むが、これらに限定されない。このような金属−キレート錯体は、環サイズを対象となる金属に合わせて調整することにより非常に安定にすることができる。例えばこの標識ペプチドは、次の式を有し得る。
４−１８Ｆ−Ｃ６Ｈ４ＣＨ＝Ｎ−Ｒ−Ａ−Ｌｙｓ（Ｘ）−Ｂ−Ｌｙｓ（Ｘ）
（式中、Ｒは、例えば−Ｏ−ＣＨ２−ＣＯ、−ＮＨ−ＣＳ−ＮＨ−Ｃ６Ｈ４−ＣＯ−、および−ＮＨ−Ｃ６Ｈ４−ＣＯ−であってもよい。Ａは、（Ｔｙｒ）ｎであり、ｎ＝０または１である。Ｘは、ハプテン基、例えばＨＳＧであってもよく、またはＸは、キレート剤であり、Ｂは、Ｇｌｕ、Ａｌａ、およびＴｙｒからなる群から選択される。）
【００２１】
本発明はまた、窒素−炭素二重結合を形成し得る求核性窒素原子を含む部分を含有する基本的に任意の分子、例えば第一級アミン、第二級アミン、ヒドロキシルアミン、チオセミカルバジド、もしくはヒドラジンを含有する任意の部分を放射能標識する方法も提供する。この分子は、求核窒素原子とアルデヒドとの間の二重結合の形成を促進する条件下で、［１８Ｆ］フルオロベンズアルデヒドの亜硫酸水素塩付加錯体と接触させる。この反応は、二重結合がインサイチュで還元されるように、還元剤の存在下で実施することができる。求核剤が第二級アミンであるとき、この反応は、好ましくは還元剤の存在下で実施される。
【００２２】
［形成方法］
放射能標識されたペプチド配列の合成方法であって、４−［１８Ｆ］フルオロベンズアルデヒドが、ヒドロキシルアミン基、チオセミカルバジド基、もしくはヒドラジン基のいずれかを含むペプチド配列と反応させられ、これにより、対応するオキシム、チオセミカルバゾン、もしくはヒドラゾンをそれぞれ形成する方法が提供される。４−［１８Ｆ］フルオロベンズアルデヒドは典型的には、４−［１８Ｆ］フルオロベンズアルデヒドおよび亜硫酸水素ナトリウムの付加錯体の酸触媒分解によってインサイチュで作成される。亜硫酸水素塩付加錯体の使用は、精製速度を高めるが、それは、アルデヒトとは異なって、この錯体が乾燥に至るまで濃縮され得るからである。この錯体の形成はまた、酸性および塩基性条件下で可逆的でもある。特に、錯体が酸性媒質中でヒドロキシルアミン基、チオセミカルバジド基、もしくはヒドラジン基を含有するペプチドと接触させられるとき、反応性遊離４−［１８Ｆ］フルオロベンズアルデヒドが、インサイチュで形成されると同時に消費され、その結果として対応するＦ−１８放射能標識ペプチド配列を生じる。
【００２３】
オキシム結合、チオセミカルバゾン結合、もしくはヒドラゾン結合が、インビボで不安定性を示す場合、Ｆ−１８を有する基質にペプチドを連結している二重結合を還元するために、追加の還元工程を用いることができる。対応する還元されたペプチド結合は、安定性を高める。当業者なら、このような還元工程を実施するのに利用可能な多様な方法を理解するだろう。Ｗｉｌｓｏｎ  ｅｔ  ａｌ．，Ｊｏｕｒｎａｌ  ｏｆ  Ｌａｂｅｌｅｄ  Ｃｏｍｐｏｕｎｄｓ  ａｎｄ  Ｒａｄｉｏｐｈａｒｍａｃｅｕｔｉｃａｌｓ，ＸＸＶＩＩＩ（１０），１１８９−１１９９，１９９０に記載されているような還元的アミノ化工程もまた、ペプチドおよび４−［１８Ｆ］フルオロベンズアルデヒドに関わるシッフ塩基を形成し、ナトリウムシアノボロハイドライドなどの還元剤を用いてこのシッフ塩基を直接還元するために用いられてもよい。
【００２４】
４−［１８Ｆ］フルオロベンズアルデヒドは、Ｗｉｌｓｏｎ  ｅｔ  ａｌ．，Ｊｏｕｒｎａｌ  ｏｆ  Ｌａｂｅｌｅｄ  Ｃｏｍｐｏｕｎｄｓ  ａｎｄ  Ｒａｄｉｏｐｈａｒｍａｃｅｕｔｉｃａｌｓ，ＸＸＶＩＩＩ（１０），１１８９−１１９９，１９９０；Ｉｗａｔａ  ｅｔ  ａｌ．，Ａｐｐｌｉｅｄ  Ｒａｄｉａｔｉｏｎ  ａｎｄ  Ｉｓｏｔｏｐｅｓ，５２，８７−９２，２０００；Ｐｏｅｔｈｋｏ  ｅｔ  ａｌ．，Ｔｈｅ  Ｊｏｕｒｎａｌ  ｏｆ  Ｎｕｃｌｅａｒ  Ｍｅｄｉｃｉｎｅ，４５，８９２−９０２，２００４；およびＳｃｈｏｔｔｅｌｉｕｓ  ｅｔ  ａｌ．，Ｃｌｉｎｉｃａｌ  Ｃａｎｃｅｒ  Ｒｅｓｅａｒｃｈ，１０，３５９３−３６０６，２００４に記載されているように調製されてもよい。水中のＮａ１８Ｆが、クリプトフィックス（ｋｒｙｐｔｏｆｉｘ）とＫ２ＣＯ３との混合物へ添加されてもよい。無水アセトニトリルが添加されてもよく、溶液が、加熱ブロックにおいてアルゴン流中で蒸発させられる。アセトニトリルの追加分が添加されてもよく、サンプルを完全に乾燥させるまで蒸発させられてもよい。４−トリメチルアンモニウムベンズアルデヒドトリフラートがＤＭＳＯ中に溶解されて、乾燥されたＦ−１８に添加されてもよい。次いで、この溶液は、加熱ブロックにおいて加熱されてもよい。溶液は短時間冷却されてもよく、水で希釈され、Ｗａｔｅｒｓ（登録商標）Ｏａｓｉｓ  ＨＬＢ  ＬＰ抽出カートリッジを通して濾過されてもよい。このカートリッジは、未結合Ｆ−１８および未反応４−トリメチルアンモニウムベンズアルデヒドトリフラートを除去するために、９：１の水：アセトニトリル、および水で洗浄されてもよい。次いで、４−［１８Ｆ］フルオロベンズアルデヒドは、カートリッジからメタノールでフラクションに分けて溶出されてもよい（ＨＰＬＣ、図１）。
【００２５】
［投与方法］
本明細書において以下に示されている考察の多くは、病変組織の画像化との関連でＦ−１８放射能標識ペプチド配列の使用に焦点を合わせていることに注目すべきである。しかしながら特許請求の範囲に記載された方法はまた、例えば米国特許第６，１２６，９１６号、第６，０７７，４９９号、第６，０１０，６８０号、第５，７７６，０９５号、第５，７７６，０９４号、第５，７７６，０９３号、第５，７７２，９８１号、第５，７５３，２０６号、第５，７４６，９９６号、第５，６９７，９０２号、第５，３２８，６７９号、第５，１２８，１１９号、第５，１０１，８２７号、および第４，７３５，２１０号に記載されている方法を用いて、正常な組織および器官の画像化におけるＦ−１８放射能標識ペプチド配列の使用も意図している。これらの特許の各々の内容は、その全体が参照することにより本明細書の一部をなすものとする。本明細書において用いられているように、「組織」という用語は、膵臓、卵巣、胸腺、副甲状腺、または脾臓からの組織を含むが、これらに限定されない組織のことを言う。
【００２６】
二重特異性抗体（「ｂｓＡｂ」）および標識された標的化可能な構築物の投与は、標的化可能な構築物の投与に先立つなんらかの時点でｂｓＡｂを投与することによって実施されてもよい。これらの試薬の用量およびタイミングを、当業者は容易に考え出すことができ、これは、使用される試薬の特定の性質に依存する。ｂｓＡｂ−Ｆ（ａｂ’）２誘導体がまず与えられるならば、その場合には典型的には、標的可能な構築物の投与前に、６〜７３時間、好ましくは２４〜４８時間の待機時間が適切である。ＩｇＧ−Ｆａｂ’  ｂｓＡｂコンジュゲートが第一標的ベクターであるならば、その場合には、標的可能な構築物の投与前に、より長い待機時間が、３〜１９日の範囲で指示されてもよい。
【００２７】
ｂｓＡｂが病変組織を標的とするのに十分な時間が経過した後、１８Ｆ−標識された標的可能な構築物が投与される。診断薬の投与に続いて、画像化はＰＥＴを用いて実施することができる。ＰＥＴは、高解像の非侵襲性画像化技術であり、病変したヒト組織または正常なヒト組織の視覚化のために用いることができる。ＰＥＴにおいて、ポジトロン消滅崩壊の間に生成された５１１ｋｅＶのγ光子が検出される。
【００２８】
特許請求の範囲に記載された方法および組成物はまた、米国特許出願公開第２００２００７６４０６号（参照することにより本明細書の一部をなすものとする）に記載されているように、少なくとも３つの異なる標的結合部位を有する多価標的結合タンパク質の使用も意図している。多価標的結合タンパク質は、化学的リンカーを介していくつかのＦａｂ様断片を架橋することによって作製されてきた。米国特許第５，２６２，５２４号、第５，０９１，５４２号、およびＬａｎｄｓｄｏｒｐ  ｅｔ  ａｌ．，Ｅｕｒｏ．Ｊ．Ｉｍｍｕｎｏｌ．１６：６７９−８３（１９８６）を参照されたい。多価標的結合タンパク質はまた、いくつかの単鎖Ｆｖ分子（ｓｃＦｖ）を共有結合させて単一ポリペプチドを形成することによっても作製されてきた。米国特許第５，８９２，０２０号を参照されたい。基本的にｓｃＦｖ分子の凝集体である多価標的結合タンパク質が、米国特許第６，０２５，１６５号および第５，８３７，２４２号に開示されている。３つのｓｃＦｖ分子を含む三価標的結合タンパク質は、Ｋｒｏｔｔ  ｅｔ  ａｌ．，Ｐｒｏｔｅｉｎ  Ｅｎｇｉｎｅｅｒｉｎｇ）  １０（４）：４２３−４３３（１９９７）に開示されている。
【００２９】
クリアリング剤が用いられてもよく、これはｂｓＡｂおよびリンカー部分の投与の間に与えられる。適切なクリアリング剤は、ｂｓＡｂの病変標的アームに対して標的化された、グリコシル化された抗イディオタイプのＦａｂ’断片である。例えば、抗ＣＥＡ（ＭＮ１４Ａｂ）ｘ抗標的可能構築物ｂｓＡｂが与えられ、その最大限まで病変標的中において融合することが可能にされる。残留ｂｓＡｂをクリアーするために、ＷＩ２と呼ばれる、ＭＮ１４に対する抗イディオタイプＡｂが、好ましくはグリコシル化Ｆａｂ’断片として与えられる。クリアリング剤は、一価でｂｓＡｂへ結合するが、一方、その付加されたグリコシル残基は、錯体全体を急速な代謝が行われている肝臓に導く。次いで、ｂｓＡｂの第二アームに結合する標的可能な構築物が被験者に与えられる。ｂｓＡｂのＭＮ−１４アームに対するＷＩ２Ａｂは、高い親和性を有し、クリアリングのメカニズムは、架橋に関わらないので、他の開示されたメカニズムとは異なる（Ｇｏｏｄｗｉｎ  ｅｔ  ａｌ．，同書を参照されたい）。それは、ＷＩ２−Ｆａｂ’が一価の部分だからである。
【００３０】
［抗体］
様々な実施形態が、トランスフェクションされた対象の細胞株から発現された抗体および／または抗体断片に関し得る。「抗体」という用語は、本明細書において、抗原結合領域を有する任意の抗体様分子のことを言うために用いられ、抗体断片、例えばＦａｂ’、Ｆａｂ、Ｆ（ａｂ’）２、単一ドメイン抗体（ＤＡＢ）、Ｆｖ、ｓｃＦｖ（単鎖Ｆｖ）などを含む。様々な抗体ベースの構築物および断片の調製および使用技術は、当分野において周知である。抗体の調製および特徴決定手段もまた、当分野において周知である（例えばＨａｒｌｏｗｅ  ａｎｄ  Ｌａｎｅ，１９８８，Ａｎｔｉｂｏｄｉｅｓ：Ａ  Ｌａｂｏｒａｔｏｒｙ  Ｍａｎｕａｌ，Ｃｏｌｄ  Ｓｐｒｉｎｇ  Ｈａｒｂｏｒ  Ｌａｂｏｒａｔｏｒｙを参照されたい）。有用な抗体はまた、多種多様な公知のソースから商業的に得ることができる。例えば多様な抗体を分泌するハイブリドーマ株が、アメリカン・タイプ・カルチャー・コレクション（ＡＴＣＣ、バージニア州マナッサス）から入手し得る。腫瘍関連抗原を含むがこれらに限定されない、様々な病気標的に対する多数の抗体が、ＡＴＣＣに寄託されており、特許請求の範囲に記載された方法および組成物における使用のために利用可能である。（例えば、米国特許第７，０６０，８０２号、第７，０５６，５０９号、第７，０４９，０６０号、第７，０４５，１３２号、第７，０４１，８０３号、第７，０４１，８０２号、第７，０４１，２９３号、第７，０３８，０１８号、第７，０３７，４９８号、第７，０１２，１３３号、第７，００１，５９８号；第６，９９８，４６８号、第６，９９４，９７６号、第６，９９４，８５２号、第６，９８９，２４１号、第６，９７４，８６３号、第６，９６５，０１８号、第６，９６４，８５４号、第６，９６２，９８１号、第６，９６２，８１３号、第６，９５６，１０７号、第６，９５１，９２４号、第６，９４９，２４４号、第６，９４６，１２９号、第６，９４３，０２０号、第６，９３９，５４７号、第６，９２１，６４５号、第６，９２１，６４５号、第６，９２１，５３３号、第６，９１９，４３３号、第６，９１９，０７８号、第６，９１６，４７５号、第６，９０５，６８１号、第６，８９９，８７９号、第６，８９３，６２５号、第６，８８７，４６８号、第６，８８７，４６６号、第６，８８４，５９４号、第６，８８１，４０５号、第６，８７８，８１２号、第６，８７５，５８０号、第６，８７２，５６８号、第６，８６７，００６号、第６，８６４，０６２号、第６，８６１，５１１号、第６，８６１，２２７号、第６，８６１，２２６号、第６，８３８，２８２号、第６，８３５，５４９号、第６，８３５，３７０号、第６，８２４，７８０号、第６，８２４，７７８号、第６，８１２，２０６号、第６，７９３，９２４号、第８，７８３，７５８号、第６，７７０，４５０号、第６，７６７，７１１号、第６，７６４，６８１号、第６，７６４，６７９号、第６，７４３，８９８号、第６，７３３，９８１号、第６，７３０，３０７号、第６，７２０，１５号、第６，７１６，９６６号、第６，７０９，６５３号、第６，６９３，１７６号、第６，６９２，９０８号、第６，６８９，６０７号、第６，６８９，３６２号、第６，���８９，３５５号、第６，６８２，７３７号、第６，６８２，７３６号、第６，６８２，７３４号、第６，６７３，３４４号、第６，６５２，８５２号、第６，６３５，４８２号、第６，６３０，１４４号、第６，６１０，８３３号、第６，６１０，２９４号、第６，６０５，４４１号、第６，６０５，２７９号、第６，５９６，８５２号、第６，５９２，８６８号、第６，５７６，７４５号、第６，５７２，８５６号、第６，５６６，０７６号、第６，５６２，６１８号、第６，５４５，１３０号、第６，５４４，７４９号、第６，５３４，０５８号、第６，５２８，６２５号、第６，５２８，２６９号、第６，５２１，２２７号、第６，５１８，４０４号、第６，５１１，６６５号、第６，４９１，９１５号、第６，４８８，９３０号、第６，４８２，５９８号、第６，４８２，４０８号、第６，４７９，２４７号、第６，４６８，５３１号、第６，４６８，５２９号、第６，４６５，１７３号、第６，４６１，８２３号、第６，４５８，３５６号、第６，４５５，０４４号、第６，４５５，０４０号、第６，４５１，３１０号、第６，４４４，２０６号、第６，４４１，１４３号、第６，４３２，４０４号、第６，４３２，４０２号、第６，４１９，９２８号、第６，４１３，７２６号、第６，４０６，６９４号、第６，４０３，７７０号、第６，４０３，０９１号、第６，３９５，２７４号、第６，３８３，７５９号、第６，３８３，４８４号、第６，３７６，６５４号、第６，３７２，２１５号、第６，３５９，１２６号、第６，３５５，４８１号、第６，３５５，４４４号、第６，３５５，２４５号、第６，３５５，２４４号、第６，３４６，２４６号、第６，３４４，１９８号、第６，３４０，５７１号、第６，３４０，４５９号を参照されたい。各々が、抗体分泌ハイブリドーマ細胞株についてのＡＴＣＣ寄託番号、およびこれらの抗体もしくはその断片についての関連標的抗原に関し、参照することにより本明細書の一部をなすものとする）。これらは単なる例にすぎず、多種多様な他の抗体分泌ハイブリドーマが、当分野において公知である。当業者なら、ほぼ任意の病気関連抗原に対する抗体分泌ハイブリドーマが、選択される病気関連該標的に対する抗体についてのＡＴＣＣ、ＰｕｂＭｅｄ、および／またはＵＳＰＴＯのデータベースの簡単な調査によって得ることができることを理解する。クローン化された抗体の抗原結合ドメインは、当分野において周知の標準的技術を用いて、増幅され、切断され、発現ベクターにライゲーションされ、適応された宿主細胞中に形質転換され、タンパク質生成のために用いることができる。
【００３１】
［抗体断片の生成］
特許請求の範囲に記載された方法および／または組成物のいくつかの実施形態は、抗体断片に関し得る。抗体断片の生成の典型的な方法は、米国特許第４，０３６，９４５号；米国特許第４，３３１，６４７号；Ｎｉｓｏｎｏｆｆ  ｅｔ  ａｌ．，１９６０，Ａｒｃｈ．Ｂｉｏｃｈｅｍ．Ｂｉｏｐｈｙｓ．，８９：２３０；Ｐｏｒｔｅｒ，１９５９，Ｂｉｏｃｈｅｍ．Ｊ．，７３：１１９；Ｅｄｅｌｍａｎ  ｅｔ  ａｌ．，１９６７，Ｍｅｔｈｏｄｓ  Ｉｎ  Ｅｎｚｙｍｏｌｏｇｙ，ｐａｇｅ  ４２２，Ａｃａｄｅｍｉｃ  ＰｒｅｓｓおよびＣｏｌｉｇａｎ  ｅｔ  ａｌ．（ｅｄｓ．），１９９１，Ｃｕｒｒｅｎｔ  Ｐｒｏｔｏｃｏｌｓ  Ｉｎ  Ｉｍｍｕｎｏｌｏｇｙ，（Ｊｏｈｎ  Ｗｉｌｅｙ  ＆  Ｓｏｎｓ）に開示されている。
【００３２】
抗体断片の他の形成方法、例えば一価の軽鎖−重鎖断片を形成するための重鎖の分離、断片のさらなる切断、または他の酵素的、化学的、または遺伝子技術もまた、これらの断片が、無傷の抗体によって認識される抗体へ結合するかぎり、用いることができる。例えばＦｖ断片は、ＶＨ鎖およびＶＬ鎖の会合を含む。この会合は、Ｉｎｂａｒ  ｅｔ  ａｌ．，１９７２，Ｐｒｏｃ．Ｎａｔ’ｌ．Ａｃａｄ．Ｓｃｉ．ＵＳＡ，６９：２６５９に記載されているように、非共有的であってもよい。あるいはまた、可変鎖（ｖａｒｉａｂｌｅ  ｃｈａｉｎ）は、分子内ジスルフィド結合によって結合されてもよく、またはグルタルアルデヒドなどの化学物質によって架橋されてもよい。Ｓａｎｄｈｕ，１９９２，Ｃｒｉｔ．Ｒｅｖ．Ｂｉｏｔｅｃｈ．，１２：４３７を参照されたい。
【００３３】
好ましくはＦｖ断片は、ペプチドリンカーによって連結されたＶＨ鎖およびＶＬ鎖を含む。これらの単鎖抗原結合タンパク質（ｓＦｖ）は、オリゴヌクレオチドリンカー配列によって連結された、ＶＨドメインおよびＶＬドメインをエンコードするＤＮＡ配列を含む構造遺伝子を構築することによって調製される。構造遺伝子は、後に宿主細胞中に導入される発現ベクターに挿入される。組換え宿主細胞は、２つのＶドメインをリンカーペプチドが架橋する単一のポリペプチド鎖を合成する。ｓＦｖの生成方法は、当分野において周知である。Ｗｈｉｔｌｏｗ  ｅｔ  ａｌ．，１９９１，Ｍｅｔｈｏｄｓ：Ａ  Ｃｏｍｐａｎｉｏｎ  ｔｏ  Ｍｅｔｈｏｄｓ  ｉｎ  Ｅｎｚｙｍｏｌｏｇｙ，２：９７；Ｂｉｒｄ  ｅｔ  ａｌ．，１９８８，Ｓｃｉｅｎｃｅ，２４２：４２３；米国特許第４，９４６，７７８号；Ｐａｃｋ  ｅｔ  ａｌ．，１９９３，Ｂｉｏ／Ｔｅｃｈｎｏｌｏｇｙ，１１：１２７１，およびＳａｎｄｈｕ，１９９２，Ｃｒｉｔ．Ｒｅｖ．Ｂｉｏｔｅｃｈ．１２：４３７を参照されたい。
【００３４】
抗体断片の別の形態は、単一相補性決定領域（ＣＤＲ）をコードするペプチドである。ＣＤＲペプチド（「最小認識単位」）は、対象となる抗体のＣＤＲをコードする遺伝子を構築することによって得ることができる。このような遺伝子は例えば、抗体生産細胞のＲＮＡから可変領域を合成するためにポリメラーゼ連鎖反応を用いることによって調製される。Ｌａｒｒｉｃｋ  ｅｔ  ａｌ．，１９９１，Ｍｅｔｈｏｄｓ：Ａ  Ｃｏｍｐａｎｉｏｎ  ｔｏ  Ｍｅｔｈｏｄｓ  ｉｎ  Ｅｎｚｙｍｏｌｏｇｙ  ２：１０６；Ｒｉｔｔｅｒ  ｅｔ  ａｌ．，（ｅｄｓ．），１９９５，Ｍｏｎｏｃｌｏｎａｌ  Ａｎｔｉｂｏｄｉｅｓ：Ｐｒｏｄｕｃｔｉｏｎ，Ｅｎｇｉｎｅｅｒｉｎｇ  ａｎｄ  Ｃｌｉｎｉｃａｌ  Ａｐｐｌｉｃａｔｉｏｎ，ｐａｇｅｓ  １６６−１７９（Ｃａｍｂｒｉｄｇｅ  Ｕｎｉｖｅｒｓｉｔｙ  Ｐｒｅｓｓ）；Ｂｉｒｃｈ  ｅｔ  ａｌ．，（ｅｄｓ．），１９９５，Ｍｏｎｏｃｌｏｎａｌ  Ａｎｔｉｂｏｄｉｅｓ：Ｐｒｉｎｃｉｐｌｅｓ  ａｎｄ  ＡｐｐｌｉｃａｔｉｏｎＳ，ｐａｇｅｓ  １３７−１８５（Ｗｉｌｅｙ−Ｌｉｓｓ，Ｉｎｃ．）を参照されたい。抗体分泌バイブリドーマ細胞株が公に入手し得る場合、抗原結合特異性をコードするＣＤＲ配列を得ることができ、キメラ抗体およびヒト化抗体中に組み込んで用いることができる。
【００３５】
［キメラ抗体およびヒト化抗体］
キメラ抗体は、ヒト抗体の可変領域が例えば、マウス抗体の相補性決定領域（ＣＤＲ）を含む、マウス抗体などの可変領域によって置換されている組換えタンパク質である。キメラ抗体は、被験者へ投与されたとき、減少した免疫原性および増加した安定性を示す。キメラ抗体の構築方法は、当分野において周知である（例えばＬｅｕｎｇ  ｅｔ  ａｌ．，１９９４，Ｈｙｂｒｉｄｏｍａ  １３：４６９）。
【００３６】
キメラモノクローナル抗体は、マウス免疫グロブリンの重可変鎖および軽可変鎖からのマウスＣＤＲを、ヒト抗体の対応可変ドメイン中に転移することによってヒト化され得る。キメラモノクローナル抗体中のマウスフレームワーク領域（ＦＲ）もまた、ヒトＦＲ配列で置換される。ヒト化モノクローナルの安定性および抗原特異性を保持するために、１以上のヒトＦＲ残基が、マウス対応残基によって置換されてもよい。ヒト化モノクローナル抗体は、被験者の治療上の処置のために用いられてもよい。標的に対するヒト化抗体の親和性もまた、ＣＤＲ配列の選択的修飾によって増加させることができる（第ＷＯ００２９５８４Ａ１号）。ヒト化モノクローナル抗体の生成技術は、当分野において周知である。（例えばＪｏｎｅｓ  ｅｔ  ａｌ．，１９８６，Ｎａｔｕｒｅ，３２１：５２２；Ｒｉｅｃｈｍａｎｎ  ｅｔ  ａｌ．，Ｎａｔｕｒｅ，１９８８，３３２：３２３；Ｖｅｒｈｏｅｙｅｎ  ｅｔ  ａｌ．，１９８８，Ｓｃｉｅｎｃｅ，２３９：１５３４；Ｃａｒｔｅｒ  ｅｔ  ａｌ．，１９９２，Ｐｒｏｃ．Ｎａｔ’ｌ  Ａｃａｄ．Ｓｃｉ．ＵＳＡ，８９：４２８５；Ｓａｎｄｈｕ，Ｃｒｉｔ．Ｒｅｖ．Ｂｉｏｔｅｃｈ，１９９２，１２：４３７；Ｔｅｍｐｅｓｔ  ｅｔ  ａｌ．，１９９１，Ｂｉｏｔｅｃｈｎｏｌｏｇｙ  ９：２６６；Ｓｉｎｇｅｒ  ｅｔ  ａｌ．，Ｊ．Ｉｍｍｕｎｏｌ．１９９３，１５０：２８４４を参照されたい）。
【００３７】
他の実施形態は、非ヒト霊長類抗体に関し得る。ヒヒにおいて治療的に有用な抗体を作るための一般的な技術は、例えばＧｏｌｄｅｎｂｅｒｇ  ｅｔ  ａｌ．，ＷＯ９１／１１４６５（１９９１）、およびＬｏｓｍａｎ  ｅｔ  ａｌ．，Ｉｎｔ．Ｊ．Ｃａｎｃｅｒ  ４６：３１０（１９９０）に見られる。
【００３８】
［ヒト抗体］
コンビナトリアルアプローチまたはヒト免疫グロブリン遺伝子座で形質転換されたトランスジェニック動物を用いた完全ヒト抗体の生成方法は、当分野において公知である（例えばＭａｎｃｉｎｉ  ｅｔ  ａｌ．，２００４，Ｎｅｗ  Ｍｉｃｒｏｂｉｏｌ．２７：３１５−２８；ＣｏｎｒａｄおよびＳｃｈｅｌｌｅｒ，２００５，Ｃｏｍｂ．Ｃｈｅｍ．Ｈｉｇｈ  Ｔｈｒｏｕｇｈｐｕｔ  Ｓｃｒｅｅｎ，８：１１７−２６；ＢｒｅｋｋｅおよびＬｏｓｅｔ、２００３，Ｃｕｒｒ．Ｏｐｉｎ．Ｐｈａｍａｃｏｌ．３：５４４−５０；各々、参照することにより本明細書の一部をなすものとする）。このような完全ヒト抗体は、キメラ抗体またはヒト化抗体よりもさらに一層少ない副作用を示し、インビボで、本質的に内在性のヒト抗体として作用すると予想される。あるいくつかの実施形態において、特許請求の範囲に記載された方法および手順は、このような技術によって生成されたヒト抗体を利用し得る。
【００３９】
１つの代替方法において、ファージディスプレイ技術が、ヒト抗体を作製するために用いられてもよい（例えばＤａｎｔａｓ−Ｂａｒｂｏｓａ  ｅｔ  ａｌ．，２００５，Ｇｅｎｅｔ．Ｍｏｌ．Ｒｅｓ．４：１２６−４０。参照することにより本明細書の一部をなすものとする）。ヒト抗体は、正常なヒトから、または癌などの特別な疾病状態を示すヒトから作製することができる（Ｄａｎｔａｓ−Ｂａｒｂｏｓａ  ｅｔ  ａｌ．，２００５）。病気の個人からのヒト抗体を構築する利点は、循環抗体のレパートリーを、病気関連抗原に対する抗体に偏らせることができるということである。
【００４０】
この手法の１つの非限定的な例において、Ｄａｎｔａｓ−Ｂａｒｂｏｓａ  ｅｔ  ａｌ．（２００５）は、骨肉腫患者からのヒトＦａｂ抗体断片のファージディスプレイライブラリーを構成した。一般に全ＲＮＡは、循環血液のリンパ球から得られた（同上）。組換えＦａｂは、μ鎖抗体、γ鎖抗体、およびκ鎖抗体のレパートリーからクローン化され、ファージディスプレイライブラリー中に挿入された（同上）。ＲＮＡは、ｃＤＮＡにへ転化され、重鎖および軽鎖免疫グロブリン配列に対する特異的プライマーを用いて、Ｆａｂ  ｃＤＮＡライブラリーを作製するために用いられた（Ｍａｒｋｓ  ｅｔ  ａｌ．，１９９１，Ｊ．Ｍｏｌ．Ｂｉｏｌ．２２２：５８１−９７。参照することにより本明細書の一部をなすものとする）。ライブラリーの構築は、Ａｎｄｒｉｓ−Ｗｉｄｈｏｐｆ  ｅｔ  ａｌ．，にしたがって実施された（２０００，Ｐｈａｇｅ  Ｄｉｓｐｌａｙ  Ｌａｂｏｒａｔｏｒｙ  Ｍａｎｕａｌ，Ｂａｒｂａｓ  ｅｔ  ａｌ．，（ｅｄｓ），１ｓｔ  ｅｄｉｔｉｏｎ，Ｃｏｌｄ  Ｓｐｒｉｎｇ  Ｈａｒｂｏｒ  Ｌａｂｏｒａｔｏｒｙ  Ｐｒｅｓｓ，Ｃｏｌｄ  Ｓｐｒｉｎｇ  Ｈａｒｂｏｒ，ＮＹ，９．１−９．ｐｐ．２２。参照することにより本明細書の一部をなすものとする）。最終Ｆａｂ断片は、制限エンドヌクレアーゼで消化され、バクテリオファージゲノム中に挿入され、ファージディスプレイライブラリーを作製した。このようなライブラリーは、当分野において公知であるように、標準的ファージディスプレイ方法によってスクリーニングされてもよい。当業者なら、この技術は例にすぎず、ファージディスプレイによるヒト抗体または抗体断片を作製し、スクリーニングするためのあらゆる公知方法が利用され得ることが分かる。
【００４１】
別の代替方法において、ヒト抗体を生成するために遺伝子組み換えが行われたトランスジェニック動物を、標準的な免疫プロトコルを用いて、本質的に任意の免疫原性標的に対する抗体を作製するために用いることができる。このような系の非限定的な例は、Ａｂｇｅｎｉｘ（カリフォルニア州フレモント（Ｆｒｅｍｏｎｔ））からのＸｅｎｏＭｏｕｓｅ（登録商標）（例えばＧｒｅｅｎ  ｅｔ  ａｌ．，１９９９，Ｊ．Ｉｍｍｕｎｏｌ．Ｍｅｔｈｏｄｓ  ２３１：１１−２３。参照することにより本明細書の一部をなすものとする）である。ＸｅｎｏＭｏｕｓｅ（登録商標）および同様の動物において、マウス抗体遺伝子が不活性化され、機能的ヒト抗体遺伝子によって置換されているが、マウス免疫系の残りの部分は無傷のままである。
【００４２】
ＸｅｎｏＭｏｕｓｅ（登録商標）が、アクセサリー遺伝子および調節配列に沿って、可変領域配列の大部分を含む、ヒトＩｇＨおよびＩｇκの遺伝子座の部分を含有する生殖細胞系に構成されたＹＡＣ（酵母人工染色体）で形質転換された。ヒト可変領域レパートリーが、抗体生産Ｂ細胞を作成するために用いられてもよく、このＢ細胞は、公知技術によってハイブリドーマに処理することができる。標的抗原に対し免疫をもつＸｅｎｏＭｏｕｓｅ（登録商標）は、正常な免疫応答によってヒト抗体を生成する。これは、上記で考察された標準的技術によって収穫および／または生成され得る。ＸｅｎｏＭｏｕｓｅ（登録商標）の多様な系統が入手可能であり、これらの各々は、異なる種類の抗体を生成し得る。このようなヒト抗体は、化学的架橋または他の公知方法によって、他の分子へカップリングされ得る。遺伝子組換えにより生成されたヒト抗体は、正常なヒト抗体の薬物動態特性を保持しつつ、治療的可能性を有することが証明されている（Ｇｒｅｅｎ  ｅｔ  ａｌ．，１９９９）。当業者なら、特許請求の範囲に記載された組成物および方法が、ＸｅｎｏＭｏｕｓｅ（登録商標）系の使用に限定されるわけではなく、ヒト抗体を生成するように遺伝子組み換えが行われた任意のトランスジェニック動物を利用し得ることを理解する。
【実施例】
【００４３】
本発明の実施形態は、本発明の態様を詳細に示している実施例を通して、さらに説明される。これらの実施例は、本発明の特定の要素を説明しており、本発明の範囲を限定するものとして構成されるべきではない。
１）ＩＭＰ２８６コンジュゲーション（図式１：ペプチドへの４−［１８Ｆ］フルオロベンズアルデヒドの典型的なコンジュゲーション）
【化１】
2009508090.tif 000003
【００４４】
ペプチドＩＭＰ２８６（ＭＨ＋１０９７）０．００２４ｇ（２．１９×１０−６モル）が、水中で０．１％のＴＦＡ、７２９μＬ中に溶解された。４−［１８Ｆ］フルオロベンズアルデヒドが、上記に記載されているように調製された。４−［１８Ｆ］フルオロベンズアルデヒドのメタノール溶液の２００μＬフラクションが、ＩＭＰ２８６溶液２００μＬと混合された。反応物が、１００℃の加熱ブロックにおいて１６分間加熱された。粗反応生成物のＨＰＬＣ分析は、反応がペプチドコンジュゲートまで５０％になったことを示した。
【００４５】
２）ＩＭＰ３１６コンジュゲーション（図式２：ペプチドへの４−［１８Ｆ］フルオロベンズアルデヒドの典型的なコンジュゲーション）
【化２】
2009508090.tif 000004
【００４６】
ペプチドＩＭＰ３１６（ＭＨ＋１１４０）０．００２５ｇ（２．１９×１０−６モル）が、水中で０．５ＭのＡｃＯＨ、３６５μＬ（６×１０−３モル）中に溶解された。４−［１８Ｆ］フルオロベンズアルデヒドが、上記に記載されているように調製され、メタノール中オアシスＨＬＢカートリッジから溶出された。４−［１８Ｆ］フルオロベンズアルデヒドのメタノール溶液の１ｍＬフラクションが、ＩＭＰ３１６溶液５０μＬと混合された。反応物が、１００℃加熱ブロックにおいて１３分間加熱され、次いで溶液が、アルゴン流下で６分間（１００℃）濃縮された。粗反応生成物の逆相ＨＰＬＣ分析（ＷａｔｅｒｓＸｔｅｒｒａ（登録商標）カラム、０．１％ＴＦＡ／ＣＨ３ＣＮ緩衝液、図２）は、反応が行なわれたときに約１Ｃｉ／ミリモルの比活性を有するペプチドコンジュゲートまで約３０〜４０％になったことを示した。サイズ排除ＨＰＬＣ（バイオラッド（Ｂｉｏ  Ｒａｄ）、バイオシル（Ｂｉｏｓｉｌ）カラム、リン酸緩衝液、図３および図４）は、形成された新しい生成物が二重特異性抗体ｈＭＮ−１４×６７９への結合を示し、このことは、Ｆ−１８がペプチドにコンジュゲートされたことを示していることを証明した。
【００４７】
３）α−ヒドロキシ−４−［１８Ｆ］フルオロ−α−トルエンスルホン酸の調製（図式３）
テトラブチルアンモニウムクロライド０．００３２ｇが、５０μＬの４０％亜硫酸水素ナトリウム溶液、２．５μＬ（２．６×１０−３モル）のＩＭＰ３１６と混合され、１ｍＬメタノール中１０６０μＣｉの４−［１８Ｆ］フルオロベンズアルデヒド（ＨＰＬＣ  ＲＴ１５．５分、図５）へ付加された。密封された容器が１００℃の加熱ブロックに入れられ、溶液がアルゴン流下で蒸発させられた（アルゴン流の流出物は、任意の揮発された４−［１８Ｆ］フルオロベンズアルデヒドを捕捉するために、４０％亜硫酸水素塩の溶液を通して通気された）。溶液が蒸発させられて、乾燥生成物８７２μＣｉ（９１％の回収率、減衰補正された）が得られ、これは、逆相ＨＰＬＣ（ＨＰＬＣ  ＲＴ６．０分）によって、より短い保持時間の新しい生成物へ完全に転化された。ここで用いられた条件下では、ペプチドにコンジュゲートされた兆候はなかったが、亜硫酸水素塩付加錯体への転化が完了しているように見えた。
【００４８】
４）ペプチド合成
ペプチドは、Ｆｍｏｃ法を用いて固相樹脂上に合成された。アリルオキシカルボニル（Ａｌｏｃ）保護基が、所望の場合にこれらが選択的に脱保護され得るような、特異的な保護のために、アミノ基、例えばリジン側鎖上のアミノ基を保護するために用いられた。いったんリジン側鎖が脱保護されると、所望の置換基が付着され得る。
【００４９】
５）ペプチドへの４−フルオロベンズアルデヒドのコンジュゲーション
ペプチドへの４−フルオロベンズアルデヒドの最適コンジュゲーション条件
３つのペプチドへのコールドの４−フルオロベンズアルデヒドのコンジュゲートが、オキシム結合、ヒドラゾン結合、およびチオセミカルバゾン結合の反応および安定性を比較するために調べられた。反応へのｐＨの影響、ならびに異なる溶媒の効果が調査された。これらの反応は一般に、Ｐｏｅｔｈｋｏ  ｅｔ  ａｌ．，によって記載された方法にしたがった。コンジュゲートが形成され、ＨＰＬＣによって精製され、ＥＳＭＳによって確認された。いったんこれらのコンジュゲートに所望の溶媒およびｐＨプロフィールが発見されたら、コンジュゲーションは、４−［１８Ｆ］フルオロベンズアルデヒドで最適化された条件下で実施された。確認されたコンジュゲートの保持時間は、ＨＰＬＣ（逆相ＨＰＬＣおよびサイズ排除ＨＰＬＣ）によってＦ−１８標識コンジュゲートの保持時間と比較された。Ｆ−１８標識ペプチドは、二重特異性抗体と混合され、このペプチドがサイズ排除ＨＰＬＣによって二重特異性抗体のうちの２つへ結合し、活性（約１４分のペプチド）をより短い保持時間（約９分のペプチド抗体錯体）へシフトさせるため、保持時間において予想されるシフトについて監視された（放射能検出）。
【００５０】
６）４−［１８Ｆ］フルオロベンズアルデヒドの濃度：
ペプチドと４−［１８Ｆ］フルオロベンズアルデヒドとの反応は、これら２つの試薬の相対濃度に依存した。４−［１８Ｆ］フルオロベンズアルデヒドが希釈されているならば、その場合には、多くのペプチドが、反応を完了させるようなペプチドの濃度を得るために添加されなければならなかった。過剰で未反応のペプチドが最終生成物中に存在するならば、これは二重特異性抗体上の結合部位の大部分を満たすことができる。これらは腫瘍表面へ付着され、Ｆ−１８標識コンジュゲートの結合を遮断する。４−［１８Ｆ］フルオロベンズアルデヒドが濃縮され得るならば、このことは、標識ペプチドの効果的な比活性を引き上げるようなコンジュゲーションに必要とされるペプチドの量を最小限にする。効果的な比活性が、コンジュゲーション後に十分に高いならば、過剰ペプチドの除去は必要でなかった。４−［１８Ｆ］フルオロベンズアルデヒドの亜硫酸水素塩付加錯体が、定量的に形成された。
【００５１】
７）過剰ペプチドの除去
上記に記載されているような４−［１８Ｆ］フルオロベンズアルデヒドとＩＭＰ３１６との反応は、約１Ｃｉ／ミリモルにおいてコンジュゲートされたペプチドを生成した。Ｆ−１８が１〜３Ｃｉでその反応が実施されるならば、このコンジュゲートの比活性は、画像化調査には十分である。反応を完了に推進するのにより多くのペプチドが必要であるならば、コンジュゲート／ペプチド混合物の効果的な比活性を増すために過剰な未反応ペプチドを除去することが必要である。イオン交換カラムでこのペプチドのいくらかを除去することが可能である。イオン交換カラムに結合されたペプチドの量は、ｐＨ依存性であることがある。コールドの４−フルオロベンズアルデヒドペプチドコンジュゲートが作製され、イオン交換樹脂上に異なるｐＨで保持されたペプチドの量が、ＨＰＬＣによって監視される。この方法は、コンジュゲートの存在下にペプチドを選択的に除去する条件を発見するために、まだコンジュゲートされてないペプチドを用いて反復される。このペプチドコンジュゲートは、先駆体ペプチドよりも疎水性であり、したがってこのコンジュゲートを、Ｃ−１８  Ｓｅｐ−Ｐａｋカートリッジ（Ｗａｔｅｒｓ  Ｏａｓｉｓ（登録商標）ＨＬＢ）で未反応ペプチドから分離することが可能である。疎水性およびイオン性の両方の分離選択性を含むＳｅｐ−Ｐａｋカートリッジが入手可能である（Ｗａｔｅｒｓ  Ｏａｓｉｓ（登録商標）ＭＡＸ（アニオン）およびＭＣＸ（カチオン））。カラムまたは樹脂を用いることも可能である。これは、過剰な未反応ペプチドの反応性末端を捕捉するための反応性成分、例えば置換性（ｄｉｓｐｌａｃｅａｂｌｅ）ハロゲン、アルデヒド、またはケトンを含有する。置換性ハロゲン、アルデヒド、およびケトンを含有する樹脂は、商業的製造業者、例えばＡｄｖａｎｃｅｄ  Ｃｈｅｍ  Ｔｅｃｈから入手可能である（ハロゲン化樹脂（ＳＰ５０２２、ＳＣ５０５５）、アルデヒド樹脂ＳＢ５００７、ＳＰ５００７、ＳＡ５７７、ケトン樹脂ＳＡ５０４０）。
【００５２】
８）ペプチドへのフルオロベンズアルデヒドのコンジュゲーション
【化３】
2009508090.tif 000005
亜硫酸水素ナトリウム１．８５５２ｇ（１．７８×１０−２モル、２１７モル％）が、５ｍＬの水に溶解され、１．０２０ｇ（８．２２×１０−３モル、１００モル％）４−フルオロベンズアルデヒドと混合された。溶液がわずかに温まり、白色沈殿物が形成された。白色沈殿物が濾過により収集され、５０ｍＬ水で洗浄された。回収された固体が乾燥されて、所望の生成物を０．６６６ｇ（収率３６％）生じた。濾液のＨＰＬＣ分析は、この生成物のいくらかが濾液中に存在することを示した。
１Ｈ  ＮＭＲ（ＤＭＳＯ）５．０（１  Ｈ，二重線），６．０（１  Ｈ，二重線），７．０６（２  Ｈ，三重線），７．４７（２  Ｈ，多重線）。１３Ｃ  ＮＭＲ  （ＤＭＳＯ）８４．１６，１１３．６（ｄ），１２９．６（ｄ），１３５．７，１６１（ｄ）
【００５３】
９）ＩＭＰ３２８の合成
ペプチドＩＭＰ３２７（１０１．１ｍｇ、５．８７×１０−５モル、１００モル％）が、円錐状ガラス反応瓶へ添加された。酢酸（１１７μＬ、１Ｍ）が添加され、混合物がボルテックスされて、ペプチドを溶解した。４−フルオロベンズアルデヒド亜硫酸水素塩付加錯体（１４．１ｍｇ、６．１８×１０−５モル、１０５モル％）が添加され、混合物が再びボルテックスされ、次いで１００℃で５分間加熱された。ＲＰ−ＨＰＬＣは、反応が完了したことを示した。全量が、２ｍＬのＤＩ  Ｈ２Ｏ中に溶解することによって、予め平衡化されたウオーターズ・サンファイヤー・プレプ（Ｓｕｎｆｉｒｅ  Ｐｒｅｐ）Ｃ１８５μｍ１９×１５０ｍｍカラムにロードされ、２５ｍＬ／分の流量、および１００％Ａ／０％Ｂ〜７０％Ａ／３０％Ｂの勾配を用いて８０分にわたって精製された。移動相Ａ：０．１％のトリフルオロ酢酸を有する１００％のＤＩ  Ｈ２Ｏ。移動相Ｂ：０．１％のトリフルオロ酢酸を有する９０％アセトニトリル／１０％ＤＩ  Ｈ２Ｏ。フラクションが凍結乾燥され、ＥＳＭＳによって分析された。回収された総ペプチドは、６９．１ｍｇ（収率６４．４％）であった。
【化４】
2009508090.tif 000006
【００５４】
１０）ＩＭＰ３３０の合成
ペプチドＩＭＰ３２７（７６．０ｍｇ、４．４１×１０−５モル、１００モル％）が、円錐状ガラス反応瓶に添加された。酢酸（８８μＬ、１Ｍ）が添加され、混合物がボルテックスされて、ペプチドを溶解した。４−フルオロベンズアルデヒド亜硫酸水素塩付加錯体（１１．１ｍｇ、４．８６×１０−５モル、１１０モル％）が添加され、混合物が再びボルテックスされ、次いで１００℃で２０分間加熱された。ＲＰＨＰＬＣは、反応が完了したことを示した。ナトリウムシアノボロハイドライド（１６．４ｍｇ、２．６１×１０−４モル、５９２モル％）が添加され、混合物が再び１００℃で２０分間加熱された。全量が、３ｍＬのＤＩ  Ｈ２Ｏ中に溶解することによって、予め平衡化されたウオーターズ・サンファイヤー・プレプＣ１８５μｍ１９×１５０ｍｍカラムにロードされ、２５ｍＬ／分の流量、および１００％Ａ／０％Ｂ〜７０％Ａ／３０％Ｂの勾配を用いて８０分にわたって精製された。移動相Ａ：０．１％のトリフルオロ酢酸を有する１００％ＤＩ  Ｈ２Ｏ。移動相Ｂ：０．１％のトリフルオロ酢酸を有する９０％アセトニトリル／１０％ＤＩ  Ｈ２Ｏ。フラクションが凍結乾燥され、ＥＳＭＳによって分析された。回収された総ペプチドは、９．６ｍｇ（収率１１．９％）であった。
【化５】
2009508090.tif 000007
【００５５】
１１）ＩＭＰ３１８の合成
【化６】
2009508090.tif 000008
ペプチドＩＭＰ３１６（５０．０ｍｇ、４．３８６×１０−５モル、１００モル％）が、ガラス円錐状ネジ蓋反応瓶に入れられた。酢酸溶液（１００μＬ、０．１Ｍ）が添加され、ペプチドが溶解するまで混合された。４−フルオロベンズアルデヒド１当量（４．６３μＬ、４．３８７×１０−５モル、１００モル％）が混合物へ添加され、ボルテックスされた。反応混合物が、６０℃で約３０分間加熱され、ＲＰ−ＨＰＬＣによって監視された。混合物が、一晩フリーザーに入れられ、翌日取り出され、４−フルオロベンズアルデヒドの追加当量を添加した後、加熱が続行された。ほぼ一日中加熱した後、反応はほぼ完了した。混合物が、３ｍＬの移動相Ａ（１００％ＤＩ  Ｈ２Ｏｗ／０．１％ＴＦＡ）に溶解され、全量が、予め平衡化されたウオーターズ・サンファイヤー・プレプＣ１８５μｍ１９×１５０ｍｍカラムにロードされ、２５ｍＬ／分の流量、および１００％Ａ／０％Ｂ〜７０％Ａ／３０％Ｂの勾配を用いて８０分にわたって精製された。移動相Ａ：０．１％のトリフルオロ酢酸を有する１００％ＤＩ  Ｈ２Ｏ。移動相Ｂ：０．１％のトリフルオロ酢酸を有する９０％アセトニトリル／１０％ＤＩ  Ｈ２Ｏ。フラクションが凍結乾燥され、ＥＳＭＳによって分析された。回収された総ペプチドは、１７．０ｍｇ（収率３１．１％）であった。
【００５６】
１２）ＩＭＰ３２０の合成
【化７】
2009508090.tif 000009
ペプチドＩＭＰ３１９（６８．６ｍｇ、５．７１５×１０−５モル、１００モル％）が、ガラス円錐状ネジ蓋反応瓶へ入れられた。酢酸（１００μＬ、０．１Ｍ）が添加され、溶解するまで混合された。４−フルオロベンズアルデヒド１当量（６．６３μＬ、６．２８３×１０−５モル、１１０モル％）が混合物へ添加され、ボルテックスされた。６０℃で約２０分間加熱され、ＲＰ−ＨＰＬＣによって監視された。反応は、約４０分後に完了したように見えた。混合物が一晩フリーザーに入れられた。混合物は、翌日取り出され、室温に加温されたままにされた。２ｍＬのＤＩ  Ｈ２Ｏに溶解した後、全量が、予め平衡化されたウオーターズ・サンファイヤー・プレプＣ１８５μｍ１９×１５０ｍｍカラムにロードされ、２５ｍＬ／分の流量、および１００％Ａ／０％Ｂ〜７０％Ａ／３０％Ｂの勾配を用いて８０分にわたって精製された。移動相Ａ：０．１％のトリフルオロ酢酸を有する１００％ＤＩ  Ｈ２Ｏ。移動相Ｂ：０．１％のトリフルオロ酢酸を有する９０％アセトニトリル／１０％ＤＩ  Ｈ２Ｏ。フラクションが凍結乾燥され、ＥＳＭＳによって分析された。回収された総ペプチドは、５４．１ｍｇ（収率７２．４％）であった。
【００５７】
１３）ＩＭＰ３２２の合成
【化８】
2009508090.tif 000010
ペプチドＩＭＰ３２１（３１．２ｍｇ、２．４７７×１０−５モル、１００モル％）が、ガラス円錐状ネジ蓋反応瓶へ入れられた。酢酸溶液（１００μＬ、０．１Ｍ）が添加され、ペプチドが溶解するまで混合された。４−フルオロベンズアルデヒド１当量（２．８８μＬ、２．７２９×１０−５モル、１１０モル％）が反応混合物へ添加され、ボルテックスされた。混合物が６０℃で約２０分間加熱され、ＲＰ−ＨＰＬＣによって監視された。反応は、１５分後に約９０％完了、約３０分後に完了したように見えた。混合物が２ｍＬＤＩ  Ｈ２Ｏ中に溶解され、全量が、予め平衡化されたウオーターズ・サンファイヤー・プレプＣ１８５μｍ１９×１５０ｍｍカラムにロードされ、２５ｍＬ／分の流量、および１００％Ａ／０％Ｂ〜７０％Ａ／３０％Ｂの勾配を用いて８０分にわたって精製された。移動相Ａ：０．１％のトリフルオロ酢酸を有する１００％ＤＩ  Ｈ２Ｏ。移動相Ｂ：０．１％のトリフルオロ酢酸を有する９０％アセトニトリル／１０％ＤＩ  Ｈ２Ｏ。フラクションが凍結乾燥され、ＥＳＭＳによって分析された。回収された総ペプチドは、２１．８ｍｇ（収率６４．４％）であった。
【００５８】
１４）ヌードマウスにおける病変組織の画像化
ヒト化ＭＮ−１４  ＩｇＧ抗体が、米国特許第６，６７６，９２４号に記載されているように調製される。１８Ｆ−標識亜硫酸水素塩付加錯体が、実施例８に記載されているように調製され、標準的な技術を用いて、ナトリウムシアノボロハイドライドでの還元的アミノ化によってヒト化ＭＮ−１４  ＩｇＧに結合される（例えばＧｒａｙ，１９７８，Ｍｅｔｈ．Ｅｎｚｙｍｏｌ．５０：１５５−１６０を参照されたい）。ゲル透過カラムクロマトグラフィーが、４−［１８Ｆ］フルオロベンズアルデヒド／ｈＭＮ−１４イムノコンジュゲートを、まだコンジュゲートされていない４−［１８Ｆ］フルオロベンズアルデヒド亜硫酸水素塩付加錯体から分離するために用いられる。４−［１８Ｆ］フルオロベンズアルデヒド／ｈＭＮ−１４イムノコンジュゲートが、ヌードマウスにおいてヒト結腸癌組織を局在化するために用いられる。４〜５週目に、雌胸腺欠損マウス（ｎｕ／ｎｕ、インディアナ州インディアナポリス、ハーラン（Ｈａｒｌａｎ））に、胸腺欠損マウスにおいて連続的に増殖された異種移植片から調製されたＬＳ１７４Ｔヒト結腸腺癌の１０％縣濁液０．２ｍｌが皮下注射される（Ｓｈａｒｋｅｙ，Ｃａｎｃｅｒ  Ｒｅｓ．５０：８２８−３４（１９９０））。腫瘍の発生を２週間待機した後、マウスに、４−［１８Ｆ］フルオロベンズアルデヒド／ｈＭＮ−１４イムノコンジュゲートが２０μＣｉ静脈注射される。腫瘍組織が、標準的な１８Ｆ検出方法を用いて、ＰＥＴ画像化によって画像化される。腫瘍は、Ｆ−１８の低レベルバックグラウンドに対するＦ−１８分布のホットスポットとして検出される。
【００５９】
１５）二重特異性抗体を用いた病変組織の画像化
ヒト化二重特異性ＭＮ−１４×６７９Ｆ（ａｂ’）２抗体断片が、米国特許第６，９６２，７０２号および第７，０１１，８１６号（これらの実施例部分は、参照することにより本明細書の一部をなすものとする）に記載されているように調製される。結腸癌の疑いがある６７歳のヒト男性に、二重特異性ヒト化ＭＮ−１４×６７９Ｆ（ａｂ’）２（１０−９モル）が静脈注射される。２４時間遊離抗体断片が血液循環からクリアーされるままにした後、被験者に、Ｆ−１８標識ＩＭＰ３２２（１００μＣｉ）が注射された。これのＨＳＧ部分が、６７９Ｆａｂ’へ結合する。ＣＥＡ発現腫瘍の存在は、局在化Ｆ−１８標識のＰＥＴ画像化によって確認され、被験者は結腸癌と診断される。
【図面の簡単な説明】
【００６０】
【図１】逆相ＨＰＬＣによる４−［１８Ｆ］フルオロベンズアルデヒドの分析。２０分の時点でのベースラインの変化は、自動インジェクターの回転台におけるサンプルの移動によるものであった。
【図２】逆相ＨＰＬＣおよび放射能検出によるオキシム結合を介したＩＭＰ３１６ペプチドコンジュゲーション反応の分析。
【図３】サイズ排除ＨＰＬＣおよび放射能検出によるＩＭＰ３１６ペプチドコンジュゲーション反応生成物の分析。
【図４】サイズ排除ＨＰＬＣおよび放射能検出によるｈＭＮ−１４ｘ６７９と混合されたＩＭＰ３１６ペプチドコンジュゲーション生成物の分析。
【図５】逆相ＨＰＬＣおよび放射能検出によるα−ヒドロキシ−４−［１８Ｆ］フルオロ−α−トルエンスルホン酸の分析。２０分の時点でのベースラインの変化は、自動インジェクターの回転台におけるサンプルの移動によるものであった。
【図１】
2009508090.tif 000011
【図２】
2009508090.tif 000012
【図３】
2009508090.tif 000013
【図４】
2009508090.tif 000014
【図５】
2009508090.tif 000015
【国際調査報告】
2009508090.tif 000016